(57)【要約】      （修正有）【課題】傘の逆開きを防止でき、防風、耐風の能力が向上するモダン傘を提供する。【解決手段】下ロクロ４に複数層のロクロプレート５を設置することにより、傘骨１に固定された傘生地が凹凸の斜面となるようにずれて配置され、それによって、傘の導水効果及び気流分散の能力が向上し、風耐性が高まるとともに、傘を迅速で安全に閉じる目的を達成することができる。【選択図】図２
2019030633.tif 000002
【特許請求の範囲】
【請求項１】
傘骨、ロクロ、中棒、及び傘生地を含むモダン傘であって、傘骨は、親骨と受骨を含み、前記ロクロは、上ロクロと下ロクロを含み、前記上ロクロが中棒の上方に套設して固定接続され、前記親骨が上ロクロにヒンジ接続され、前記下ロクロが中棒に摺動可能に套設され、前記下ロクロが上から下まで複数のロクロプレートを含み、隣接する２つの前記ロクロプレートの間に、いずれも連結筒が設けられ、前記複数のロクロプレートのいずれにも複数の取付け溝が設けられ、前記複数のロクロプレートにおける取付け溝がいずれも互いにずれて配置され、前記受骨の一端が取付け溝内にヒンジ接続され、他端が親骨にヒンジ接続され、前記傘生地が親骨に順次接続され、凹凸の傘生地が形成されることを特徴とするモダン傘。
【請求項２】
前記中棒に套管が套設され、前記套管が上ロクロの下方に固定接続され、前記套管の外壁に、傘を開く時に親骨と中棒が初期角度を成すように親骨を支持する位置制限ブロックが固定されることを特徴とする請求項１に記載のモダン傘。
【請求項３】
前記上ロクロ及び下ロクロにおける複数のロクロプレートのいずれにも線溝が設けられ、前記線溝内にしばり付線が取付けられ、前記傘骨のロクロと接続する一端にヒンジ接続孔が設けられ、前記しばり付線の一端がヒンジ接続孔を順次通過した他端に結び付けられ、前記線溝に保護溝が接続され、前記しばり付線の結び付け箇所が保護溝内に設けられ、前記保護溝の上側に保護カバーが取付けられることを特徴とする請求項１に記載のモダン傘。
【請求項４】
前記複数のロクロプレートの側壁に複数の収納溝が設けられ、前記収納溝は軸方向に沿って分布し、前記収納溝が前記ロクロプレートの下方の全てのロクロプレートにおける取付け溝の位置と揃っていることを特徴とする請求項１に記載のモダン傘。
【請求項５】
前記隣接する２つのロクロプレートにおいて、上方のロクロプレートに接続される受骨の長さ、上方のロクロプレートに接続される受骨と親骨とのヒンジ接続箇所から上ロクロまでの距離、連結筒の長さの和は、下方のロクロプレートに接続される受骨の長さ、下方のロクロプレートに接続される受骨と親骨とのヒンジ接続箇所から上ロクロまでの距離の和に等しいことを特徴とする請求項１に記載のモダン傘。
【請求項６】
前記隣接する２つのロクロプレートにおいて、上方のロクロプレートに接続される受骨と親骨とのヒンジ接続箇所から上ロクロまでの距離が、下方のロクロプレートに接続される受骨と親骨とのヒンジ接続箇所から上ロクロまでの距離以下であることを特徴とする請求項５に記載のモダン傘。
【請求項７】
同一のロクロプレートにおける受骨に接続される親骨の長さが等しく、異なるロクロプレートにおける受骨に接続される親骨の長さが等しくないことを特徴とする請求項１に記載のモダン傘。
【請求項８】
前記傘生地の、隣接する２本の親骨間における、上ロクロから離れた側の外縁は、円弧状であることを特徴とする請求項１に記載のモダン傘。
【請求項９】
前記傘生地と親骨の上ロクロから離れた側との間に露先が接続され、前記露先は、内芯と外玉を含み、前記内芯の一端が親骨に固定され、他端が外玉に接続され、前記外玉が傘生地の上ロクロから離れた側の外縁に固定され、内芯の位置と揃っており、前記内芯が外玉に係止されることを特徴とする請求項１に記載のモダン傘。
【請求項１０】
前記外玉の、内芯に向かう側に係止溝が設けられ、前記係止溝の側壁に複数の係止孔が設けられ、前記内芯の、外玉に向かう側に係止ブロックが設けられ、前記係止ブロックの外壁に係止ボタンが設けられ、前記係止ブロックが係止溝内に介挿して接続され、係止ボタンが係止孔内に係止されることを特徴とする請求項９に記載のモダン傘。
【請求項１１】
前記中棒に延長押し上げ部が套設され、前記延長押し上げ部が下ロクロの下方に接続され、前記中棒に１つのはじきが取付けられ、前記延長押し上げ部の長さがはじきから套管下側までの距離と等しいことを特徴とする請求項１に記載のモダン傘。
【請求項１２】
前記中棒の頂端に石突きが套設され、前記石突きが上ロクロの上方に固定接続され、前記石突きの頂部に滑り止めパッドが固定されることを特徴とする請求項１に記載のモダン傘。
【請求項１３】
前記中棒の上端に弾性ゴムリングが取付けられ、前記弾性ゴムリングは、石突きと上ロクロとの間に取付けられ、傘生地と中棒との接続箇所の上方に設けられることを特徴とする請求項１２に記載のモダン傘。
【発明の詳細な説明】
【技術分野】
【０００１】
本発明は、傘の分野に属し、具体的には、モダンな（modern／摩登）傘に関する。
【背景技術】
【０００２】
傘は、昔から人々の生活に不可欠なものであった。
【０００３】
反り上がった軒先は、中国建築物の特色の一つであり、このように軒先について特殊な処理及び創造を行うことにより、光や雨を遮る面積を広げるだけではなく、雨水の排水にも有利である。しかし、傘の表地は、一般に、柔軟な材料であるため、建築物のように、反り上がった軒先の固定構造にはならない。傘の使用は、雨を遮ることに限らず、杖としても使用できる。従来の傘では、通常、単層のロクロ構造が採用され、ロクロに接続される傘骨での受骨と同一の円錐面にあるため、受骨の支持により、親骨が緩やかな曲面構造を形成するので、親骨に接続される傘生地が緩やかな円弧面となる。風雨の天候において、この緩やかな傘生地が全体として風抵抗面となり、気流が傘骨を衝撃するため、傘の逆開き、さらに、断裂が発生する場合がある。また、弓状物の加工が困難であるため、傘生地が傘骨に完全に貼り付き、傘を完全に開いた後導水面を形成しにくいので、傘生地の上方にたまり水が発生し、長時間にわたると、傘生地に浸透し、雨漏りが発生する恐れがある。
【発明の概要】
【０００４】
従来技術の上記課題に対して、本発明は、モダン傘を提供する。
上記の目的を達成するために、本発明の技術手段は以下の通りである。傘骨、ロクロ、中棒、及び傘生地を含むモダン傘であって、傘骨は、親骨と受骨とを含み、前記ロクロは、上ロクロと下ロクロとを含み、前記上ロクロが中棒の上方に套設して固定接続され、前記親骨が上ロクロにヒンジ接続され、前記下ロクロが中棒に摺動可能に套設され、前記下ロクロが上から下まで複数のロクロプレートを含み、隣接する２つの前記ロクロプレートの間に、いずれも連結筒が設けられ、前記複数のロクロプレートのいずれにも複数の取付け溝が設けられ、前記複数のロクロプレートにおける取付け溝がいずれも互いにずれて配置され、前記受骨の一端が取付け溝内にヒンジ接続され、他端が親骨にヒンジ接続され、前記傘生地が親骨に順次接続され、凹凸の傘生地が形成されるモダン傘。
【０００５】
上記技術手段によれば、本発明は、下ロクロにおける複数の高さが異なるロクロプレートにより、高さが異なるロクロプレートに接続される受骨によって支持される親骨が高さの異なる円弧面に位置することで、親骨に接続される傘生地が高さの異なる凹凸の傘生地となり、傘生地上の凹みが導水チャネルとして雨水を迅速に除去し、雨水浸透を避けることができる。受骨の交差配置により、傘を完全に開くと傘生地が凹凸の立体円弧構造となり、このような円弧構造により気流が分散し、風抵抗係数が低減する一方、上下に交差する受骨により、傘を完全に開いた傘骨の構造強度が増加するため、傘の逆開きを防止でき、防風、耐風の能力が向上する。
【０００６】
好ましくは、前記中棒に套管が套設され、前記套管が上ロクロの下方に固定接続され、前記套管の外壁に、傘を開く時に親骨と中棒が初期角度を成すように親骨を支持する位置制限ブロックが固定される。
【０００７】
上記技術手段によれば、上ロクロ下端の套管の外表面での位置制限ブロックは、傘を閉じた後、位置制限ブロックの外表面がそれぞれ全ての親骨の外表面に当接することで、傘を閉じた状態での親骨と中棒との間に所定角度を形成し、それによって、傘を開く時に抵抗を克服する必要がある問題が解決され、傘を開きにくい問題が回避される一方、親骨の開き角を恒久的に固定することにより、傘を安全に開閉することを保証できる。
【０００８】
好ましくは、前記上ロクロ及び下ロクロにおける複数のロクロプレートのいずれにも線溝が設けられ、前記線溝内にしばり付線が取付けられ、前記傘骨のロクロと接続する一端にヒンジ接続孔が設けられ、前記しばり付線の一端がヒンジ接続孔を順次通過した他端に結び付けられ、前記線溝に保護溝が接続され、前記しばり付線の結び付け箇所は保護溝内に設けられ、前記保護溝の上側に保護カバーが取付けられる。
【０００９】
上記技術手段によれば、線溝及び保護溝の構造により、傘の開閉の安全性を向上させることができ、線溝の構造により、内部のしばり付線の安全で信頼できる品質が見られるとともに、しばり付線同士が結び付けられた接合部位は、保護溝と保護カバーにより隠され、鋭利な接合部位による損傷を防止できる。
【００１０】
好ましくは、前記複数のロクロプレートの側壁に複数の収納溝が設けられ、前記収納溝は軸方向に沿って分布し、前記収納溝は前記ロクロプレートの下方の全てのロクロプレートにおける取付け溝の位置と揃っている。
上記技術手段によれば、収納溝を設置することで、スペースを節約することができ、傘を閉じた後、親骨は部分的に収納溝内に収納され、傘を閉じた後の外径を減少させる。
【００１１】
好ましくは、前記隣接する２つのロクロプレートにおいて、上方のロクロプレートに接続される受骨の長さ、上方のロクロプレートに接続される受骨と親骨とのヒンジ接続箇所から上ロクロまでの距離、連結筒の長さの和は、下方のロクロプレートに接続される受骨の長さ、下方のロクロプレートに接続される受骨と親骨とのヒンジ接続箇所から上ロクロまでの距離の和に等しい。
【００１２】
上記技術手段によれば、親骨及び受骨を位置制限することで、傘を閉じた後完全に伸ばすことを保証でき、傘骨に局所的な隆起が発生することを回避できる。
【００１３】
好ましくは、前記隣接する２つのロクロプレートでは、上方のロクロプレートに接続される受骨と親骨とのヒンジ接続箇所から上ロクロまでの距離が、下方のロクロプレートに接続される受骨と親骨とのヒンジ接続箇所から上ロクロまでの距離以下である。
【００１４】
上記技術手段によれば、親骨及び受骨のヒンジ接続位置を制限することで、傘を完全に開いた後の凹凸の円弧面の効果がより顕著になり、モダン傘の導水効果、気流分散の能力が向上し、傘骨構造の安定性がより良好になる。
【００１５】
好ましくは、前記同一のロクロプレートにおける受骨に接続される親骨の長さが等しく、異なるロクロプレートにおける受骨に接続される親骨の長さは等しくない。
【００１６】
上記技術手段によれば、親骨に固定される傘生地が親骨端部の接続箇所に位置差を形成するように親骨の長さを設定することで、反り上がった軒先の形状が形成され、使用時の使用者の視野を広げることができる。
【００１７】
好ましくは、前記傘生地の、隣接する２本の親骨間における、上ロクロから離れた側の外縁は、円弧状である。
上記技術手段によれば、このような親骨の長さ、位置、傘生地の円弧状の設置により、傘生地が凹凸で不規則な表面となり、傘生地の気流分散の効果を向上させ、気流の傘生地に対する影響を低減し、傘の風耐性を向上させ、使用の快適さ及び安定性を高める。
【００１８】
好ましくは、前記傘生地と親骨の上ロクロから離れた側との間に露先が接続され、前記露先は、内芯と外玉を含み、前記内芯の一端は親骨に固定され、他端は外玉に接続され、前記外玉が傘生地の上ロクロから離れた側の外縁に固定され、内芯の位置と揃っており、前記内芯は外玉に係止される。
【００１９】
上記技術手段によれば、露先の分割設置により、傘生地と傘骨の組み立てが容易になり、生産効率が高まる。
【００２０】
前記外玉の、内芯に向かう側に係止溝が設けられ、前記係止溝の側壁に複数の係止孔が設けられ、前記内芯の、外玉に向かう側に係止ブロックが設けられ、前記係止ブロックの外壁に係止ボタンが設けられ、前記係止ブロックは係止溝内に介挿して接続され、係止ボタンは係止孔内に係止される。
【００２１】
上記技術手段によれば、係止のような接続方式により、内芯と外玉との着脱が容易になり、傘部品の手動交換を可能にする。
【００２２】
好ましくは、前記中棒に延長押し上げ部が套設され、前記延長押し上げ部が下ロクロの下方に接続され、前記中棒に１つのはじきが取付けられ、前記延長押し上げ部の長さは、はじきから套管下側までの距離と等しい。  
【００２３】
上記技術手段によれば、延長押し上げ部の設置により、下ロクロの長さを延長し、傘を開く時に手で操作する距離を短縮させ、傘開閉の速度が普通の傘より３倍速くなり、且つ、１つのはじきだけにより傘の開閉及びロックを完了することができ、傘開閉際の手挟みを防止することができる。
【００２４】
好ましくは、前記中棒の頂端に石突きが套設され、前記石突きが上ロクロの上方に固定接続され、前記石突きの頂部に滑り止めパッドが固定される。
【００２５】
上記技術手段によれば、上記石突きに設けられる滑り止めパッドは、耐摩耗、滑り止めの効果を奏することができる一方、傘を杖として使用する時に、衝撃吸収の効果を奏することができる。
【００２６】
好ましくは、前記中棒の上端に弾性ゴムリングが取付けられ、前記弾性ゴムリングは、石突きと上ロクロとの間に取付けられ、傘生地と中棒との接続箇所の上方に設けられる。
【００２７】
上記技術手段によれば、弾性ゴムリングが傘生地と中棒との接触箇所の真上を遮るため、雨水の傘内部への浸透を防止することができる。
【図面の簡単な説明】
【００２８】
【図１】本発明のモダン傘の構造模式図である。
【図２】図１におけるＡ部分の一部拡大図である。
【図３】図１の断面図である。
【図４】本発明のモダン傘の別の構造模式図である。
【図５】本発明の下ロクロの構造模式図である。
【発明を実施するための形態】
【００２９】
図１〜５を参照しながら本発明のモダン傘の実施例を説明する。
【００３０】
実施例１
傘骨１、ロクロ、中棒２、及び傘生地を含むモダン傘であって、傘骨１は、親骨１０１と受骨１０２とを含み、上記ロクロは、上ロクロ３と下ロクロ４とを含み、上記上ロクロ３は中棒２の上方に套設され、上記上ロクロ３及び中棒２の上方に固定孔が開設され、上記固定孔内に固定ピンが取り付けられ、上記固定ピンは上ロクロ３の側壁及び中棒２を順次通過してそれらを固定接続し、上記上ロクロ３の上方にねじが設けられ、上記上ロクロ３の上方にねじを介して中国建築の中の亭・台・楼・閣の形状に設計される立体構造の石突き１６が取り付けられ、上記石突き１６は上ロクロ３のねじと嵌合しており、上記石突き１６と上ロクロ３との間に弾性ゴムリングが取り付けられ、石突き１６を捻じることにより、弾性ゴムリングを押すため、雨水の傘生地へのしみ込みを防止する密封効果を奏し、上記親骨１０１は上ロクロ３にヒンジ接続され、上記下ロクロ４は中棒２に摺動可能に套設され、上記下ロクロ４は上下２つのロクロプレート５を含み、それぞれ上ロクロプレート及び下ロクロプレートであり、上記２つのロクロプレート５の間に連結筒６が設けられ、上記２つのロクロプレート５のいずれにも複数の取付け溝７が設けられ、上記２つのロクロプレート５における取付け溝７は何れも互いにずれて配置され、上記受骨１０２の一端が取付け溝７内にヒンジ接続され、取付け溝７内にヒンジ接続される一端にヒンジ接続孔が設けられ、他端にダボ８がヒンジ接続され、上記ダボ８に固定貫通孔が設けられ、上記親骨１０１が固定貫通孔を通過し、ダボ８がホットメルトにより親骨１０１に固定され、上記傘生地が親骨１０１に順次接続され、傘が開かれた状態で傘生地が凹凸の傾斜面となる。
【００３１】
さらに、上記中棒２に套管９が套設され、上記套管９は上ロクロ３の下方に固定接続され、上記上ロクロの下方には第１固定ボタン１０及び第１回転防止バー１１が設けられ、上記套管９の側壁に第１固定口及び第１回転防止溝が設けられ、上記套管９の上方は上ロクロ３の下方に套設される。第１固定ボタン１０と第１固定口、及び、第１回転防止バー１１と第１回転防止溝は、それぞれ凹凸嵌合される。上記套管の外壁に、傘を開く時に親骨１０１と中棒２が初期角度を成すように親骨１０１を支持する位置制限ブロック１７が固定される。
【００３２】
さらに、上記上ロクロ３、上ロクロプレート及び下ロクロプレートのいずれにも線溝１８が設けられ、上記線溝１８は環状の貫通溝であり、上ロクロ３、上ロクロプレート、及び下ロクロプレートの円周面に設けられる。上記線溝１８内にはしばり付線が取り付けられ、上記傘骨１のロクロと接続する一端にはヒンジ接続孔が設けられる。上記しばり付線の一端が上記ヒンジ接続孔を順次通過して他端に結び付けられる。上記線溝１８に保護溝１４が接続され、上記しばり付線の結び付け箇所は保護溝１４内に設けられ、上記保護溝１４の上側に保護カバーが取り付けられる。
【００３３】
さらに、上記上ロクロプレートの側壁に複数の収納溝１５が設けられ、上記収納溝１５は軸方向に沿って分布し、上記収納溝１５が下ロクロプレートの取付け溝７の位置と揃っており、上記収納溝１５は円弧状の溝であり、その半径は親骨１０１の外径と等しい。
【００３４】
さらに、上記隣接する２つのロクロプレート５では、上方のロクロプレート５に接続される受骨１０２の長さ、上方のロクロプレート５に接続される受骨１０２と親骨１０１とのヒンジ接続箇所から上ロクロ３までの距離、連結筒６の長さの和は、下方のロクロプレート５に接続される受骨１０２の長さ、下方のロクロプレート５に接続される受骨１０２と親骨１０１とのヒンジ接続箇所から上ロクロ３までの距離の和に等しい。
【００３５】
さらに、上記隣接する２つのロクロプレート５では、上方のロクロプレート５に接続される受骨１０２と親骨１０１とのヒンジ接続箇所から上ロクロ３までの距離が、下方のロクロプレート５に接続される受骨１０２と親骨１０１とのヒンジ接続箇所から上ロクロ３までの距離以下である。
【００３６】
さらに、上記上ロクロプレートでの受骨１０２に接続される親骨１０１は、互いに長さが等しく、下ロクロプレートでの受骨１０２に接続される親骨１０１は、互いに長さが等しい。上記上ロクロプレートでの受骨１０２に接続される親骨１０１の長さが、下ロクロプレートでの受骨１０２に接続される親骨１０１より長い。
【００３７】
さらに、上記傘生地の、隣接する２本の親骨１０１間における、上ロクロ３から離れた側の外縁は、円弧状である。上ロクロプレートに接続される親骨１０１に接続される傘生地と、下ロクロプレートに接続される親骨１０１に接続される傘生地は局所的に非対称であり、ここで、上ロクロプレートに接続される親骨１０１では、傘生地の外縁と親骨１０１との夾角が４０．５°であり、両側の夾角が合わせて８１°であり、下ロクロプレートに接続される親骨１０１では、傘生地の外縁と親骨１０１との夾角が６０°であり、両側の夾角は合わせて１２０°である。
【００３８】
さらに、上記傘生地と親骨１０１の上ロクロ３から離れた側との間に露先１９が接続され、上記露先１９は、内芯と外玉とを含み、上記内芯の一端はホットメルトにより親骨１０１に固定され、他端は外玉に接続され、上記外玉に結付け孔が設けられ、上記傘生地が外玉に結び付けて固定され、上記外玉は傘生地の上ロクロ３から離れた側の外縁に固定され、内芯の位置と揃っており、上記外玉の内芯に向かう側に係止溝が設けられ、上記係止溝の側壁に複数の係止孔が設けられ、上記内芯の外玉に向かう側に係止ブロックが設けられ、上記係止ブロックの外壁に係止ボタンが設けられ、上記係止ブロックは係止溝内に介挿して接続され、係止ボタンは係止孔内に係止される。
【００３９】
さらに、上記中棒２に延長押し上げ部が套設され、上記延長押し上げ部の側壁に第２固定口と第２回転防止溝が設けられ、上記下ロクロ４の外壁の下方に第２固定ボタン１２と第２回転防止バー１３が固定され、第２固定ボタン１２と第２固定口、及び第２回転防止バー１３と第２回転防止溝はそれぞれ凹凸嵌合され、上記延長押し上げ部が下ロクロ４の下方に套設され、上記中棒２にはじき２１が取り付けられ、上記延長押し上げ部の長さがはじき２１から套管９下側までの距離と等しい。
【００４０】
さらに、上記石突き１６が上ロクロ３の上方に固定接続され、上記石突き１６の頂部に軟質樹脂製の滑り止めパッドが固定される。
【００４１】
実施例２
傘骨１、ロクロ、中棒２、及び傘生地を含むモダン傘であって、傘骨１は、親骨１０１と受骨１０２を含み、上記ロクロは、上ロクロ３と下ロクロ４を含み、上記上ロクロ３は中棒２の上方に套設され、上記上ロクロ３及び中棒２の上方に固定孔が開設され、上記固定孔内に固定ピンが取り付けられ、上記固定ピンは上ロクロ３の側壁及び中棒２を順次通過してそれらを固定接続し、上記親骨１０１ヒンジは上ロクロ３に接続され、上記下ロクロ４は中棒２に摺動可能に套設され、上記下ロクロ４に上から下まで３つのロクロプレート５を含む、それぞれ上ロクロプレート、中ロクロプレート、及び下ロクロプレートであり、上ロクロプレート、中ロクロプレート、及び下ロクロプレートでの取付け溝７はそれぞれ上取付け溝、中取付け溝、及び下取付け溝であり、上記上取付け溝、中取付け溝、及び下取付け溝のそれぞれは、上取付け溝、中取付け溝、下取付け溝、中取付け溝、上取付け溝の順序にずらして配置される。
【００４２】
さらに、上記隣接する２つのロクロプレート５では、上方のロクロプレート５に接続される受骨１０２の長さ、上方のロクロプレート５に接続される受骨１０２と親骨１０１とのヒンジ接続箇所から上ロクロ３までの距離、連結筒６の長さの和は、下方のロクロプレート５に接続される受骨１０２の長さ、下方のロクロプレート５に接続される受骨１０２と親骨１０１とのヒンジ接続箇所から上ロクロ３までの距離の和に等しい。
【００４３】
さらに、上記隣接する２つのロクロプレート５では、上方のロクロプレート５に接続される受骨１０２と親骨１０１とのヒンジ接続箇所から上ロクロ３までの距離が、下方のロクロプレート５に接続される受骨１０２と親骨１０１とのヒンジ接続箇所から上ロクロ３までの距離以下である。
【００４４】
さらに、上記上ロクロプレート、中ロクロプレート、及び下ロクロプレート側壁のいずれにも複数の収納溝１５が設けられ、上記収納溝１５は軸方向に沿って分布し、上記収納溝１５の位置は該ロクロプレートの下方にあるすべてのロクロプレートにおける取付け溝７の位置と揃っており、上記収納溝１５は円弧状の溝であり、半径は親骨１０１の外径と等しい。上ロクロプレートの２つの上取付け溝の間に３つの収納溝１５が設けられ、上記３つの収納溝１５のうち中間に位置するものは下ロクロプレートの下取付け溝の位置と揃っており、その両側の収納溝１５はそれぞれ中ロクロプレートの中取付け溝の位置と揃っている。
【００４５】
上記の説明は、本発明の好ましい実施形態に過ぎず、本発明の保護範囲を限定するものではない。本発明の構想に属する技術手段は、いずれも本発明の保護範囲に含まれる。本発明の趣旨及び範囲を逸脱しない限り、当業者であれば、様々な変更及び修飾を加えることができ、これらの変更及び修飾も本発明の保護範囲に含まれるべきである。
【符号の説明】
【００４６】
１、傘骨
１０１、親骨
１０２、受骨
２、中棒
３、上ロクロ
４、下ロクロ
５、ロクロプレート
６、連結筒
７、取付け溝
８、ダボ
９、套管
１０、第１固定ボタン
１１、第１回転防止バー
１２、第２固定ボタン
１３、第２回転防止バー
１４、保護溝
１５、収納溝
１６、石突き
１７、位置制限ブロック
１８、線溝
１９、露先
【図１】
2019030633.tif 000003
【図２】
2019030633.tif 000004
【図３】
2019030633.tif 000005
【図４】
2019030633.tif 000006
【図５】
2019030633.tif 000007